(57)【要約】【課題】  フォーカスサ−ボ特性の乱れを減少させること。【解決手段】  ドライブシャーシ２の前方側にデッキ２Ａが一体形成されており、そのドライブシャーシ２を上動させることによりターンテーブル２７上にディスクＤを載置し、該ディスクＤをスピンドルモータ２６により高速回転させ、光ピックアップ９をガイドレール４及びガイドシャフト５に沿って往復移動させると共に、レンズホルダ１２をフォーカス方向及びトラッキング方向ｉ，ｊに移動させ、対物レンズＯＬを通してディスクＤにレーザ光を投射することにより、該ディスクＤに記録されている情報を読み取るようにしたディスクプレーヤにおいて、前記デッキ２Ａのスピンドルモータ固定用凹溝２５とガイドレール４及びガイドシャフト５との間に振動減衰孔３１，３２が貫設されている。【選択図】        図１
2005196857.tif 000002
【特許請求の範囲】
【請求項１】
筐体に合成樹脂製ドライブシャーシが上下動可能に配置され、該ドラ
イブシャーシの前方側にデッキが一体形成されると共に、そのドライブシャーシのデッキ
より後方側に収納凹部が形成され、該収納凹部の一側縁が該ドライブシャーシの後端部か
らデッキにかけて前後方向に延びるガイドレールとされ、前記収納凹部の他側縁側にガイ
ドレールと平行して配置したガイドシャフトの両端がドライブシャーシの後端部とデッキ
とに固定され、合成樹脂製ベースと該ベース上に立設した支軸に嵌合してフォーカス方向
及びトラッキング方向に移動可能な対物レンズ付きレンズホルダとを有する光ピックアッ
プが前記収納凹部内に配置され、前記ベースの一端部に回転可能に枢着したガイドローラ
の外周面に形成した環状ガイド溝の外広がり傾斜状内側面がガイドレールに係合されると
共に、該ベースの他端部に一体突設した軸受部の軸受孔がガイドシャフトに嵌合され、前
記デッキに収納凹部と連通する凹溝が形成され、該凹溝内にスピンドルモータが固定され
ると共に、該スピンドルモータの回転軸にディスク載置用ターンテーブルが固着されてお
り、ドライブシャーシを上動させることによりターンテーブル上にディスクを載置し、該
ディスクをスピンドルモータにより高速回転させ、光ピックアップをガイドレール及びガ
イドシャフトに沿って往復移動させると共に、レンズホルダをフォーカス方向及びトラッ
キング方向に移動させ、対物レンズを通してディスクにレーザ光を投射することにより、
該ディスクに記録されている情報を読み取るようにしたディスクプレーヤにおいて、前記
デッキのスピンドルモータ固定用凹溝とガイドレール及びガイドシャフトとの間にそれぞ
れ振動減衰孔が貫設され、そのガイドレール側振動減衰孔がガイドレールと同幅で該ガイ
ドレールの前端から前方に向かって形成され、そのガイドシャフト側振動減衰孔が前記ガ
イドレール側振動減衰孔とほぼ同幅でガイドシャフトの前端近傍から前方に向かって形成
され、該ガイドシャフト側振動減衰孔のほぼ中央部を横断する補強桁がデッキに一体形成
されていることを特徴とするディスクプレーヤ。
【請求項２】
筐体に合成樹脂製ドライブシャーシが上下動可能に配置され、該ドラ
イブシャーシの前方側にデッキが一体形成されると共に、そのドライブシャーシのデッキ
より後方側に収納凹部が形成され、該収納凹部の一側縁が該ドライブシャーシの後端部か
らデッキにかけて前後方向に延びるガイドレールとされ、前記収納凹部の他側縁側にガイ
ドレールと平行して配置したガイドシャフトの両端がドライブシャーシの後端部とデッキ
とに固定され、フォーカス方向及びトラッキング方向に移動可能な対物レンズ付きレンズ
ホルダとを有する光ピックアップがガイドレール及びガイドシャフトに移動可能に係合さ
れ、前記デッキに形成した凹溝にスピンドルモータが固定されると共に、該スピンドルモ
ータの回転軸にディスク載置用ターンテーブルが固着されており、ドライブシャーシを上
動させることによりターンテーブル上にディスクを載置し、該ディスクをスピンドルモー
タにより高速回転させ、光ピックアップをガイドレール及びガイドシャフトに沿って往復
移動させると共に、レンズホルダをフォーカス方向及びトラッキング方向に移動させ、対
物レンズを通してディスクにレーザ光を投射することにより、該ディスクに記録されてい
る情報を読み取るようにしたディスクプレーヤにおいて、前記デッキのスピンドルモータ
固定用凹溝とガイドレールとの間に振動減衰孔が貫設されていることを特徴とするディス
クプレーヤ。
【請求項３】
前記ガイドレール側振動減衰孔がガイドレールと同幅で該ガイドレー
ルの前端から前方に向かって形成されていることを特徴とする請求項２に記載のディスク
プレーヤ。
【請求項４】
前記デッキのスピンドルモータ固定用凹溝とガイドシャフトの間にも
振動減衰孔が貫設されていることを特徴とする請求項２または３に記載のディスクプレー
ヤ。
【請求項５】
前記ガイドシャフト側振動減衰孔が前記ガイドレール側振動減衰孔と
ほぼ同幅でガイドシャフトの前端近傍から前方に向かって形成されていることを特徴とす
る請求項４に記載のディスクプレーヤ。
【請求項６】
前記ガイドシャフト側振動減衰孔のほぼ中央部を横断する補強桁がデ
ッキに一体形成されていることを特徴とする請求項５に記載のディスクプレーヤ。
【発明の詳細な説明】
【技術分野】
【０００１】
本発明は、例えばＤＶＤなどの光ディスクや磁気ディスク（以下、ディスクと略称する
）の再生や記録または消去を行うためのディスクプレーヤに関する。
【背景技術】
【０００２】
従来、ディスクプレーヤの技術として特許文献１などに記載したものがあり、その一例
を図５〜図９に基づいて説明すると、これは、筐体１に合成樹脂製ドライブシャーシ２が
その両側面後部に突設した枢支軸２ａを介して上下動ａ，ｂ可能に配置され、ドライブシ
ャーシ２の前面に突設したカム軸２ｂが左右方向ｃ，ｄに移動可能なカム板３のカム孔３
ａに嵌入され、ドライブシャーシ２の前方側にデッキ２Ａが一体形成されると共に、その
ドライブシャーシ２のデッキ２Ａより後方側に収納凹部２Ｂが形成され、該収納凹部２Ｂ
の一側縁が該ドライブシャーシ２の後端部からデッキ２Ａにかけて前後方向ｅ，ｆに延び
るガイドレール４とされ、ガイドシャフト５の前端５ａをデッキ２Ａの固定孔６に嵌入さ
せると共に、該ガイドシャフト５の後端５ｂをビス７によりドライブシャーシ２の後端部
に固定することにより、そのガイドシャフト５が収納凹部２Ｂの他側縁側にガイドレール
４と平行に配置されている。なお、デッキ２Ａには必要に応じて多数の孔が形成されてい
るが、説明をしやすくするため、その各孔の図示を省略している。
【０００３】
図５〜図７に示すように、合成樹脂製ベース９Ａと該ベース９Ａ上に配置したピックア
ップ本体９Ｂとからなる光ピックアップ９が収納凹部２Ｂ内に配置され、前記ピックアッ
プ本体９Ｂが、ベース９Ａ上にビス止めしたアクトベース１０と、該アクトベース１０の
底板に立設した支軸１１に嵌合する対物レンズＯＬ付きレンズホルダ１２と、該レンズホ
ルダ１２に取り付けたフォーカスコイル１３及びトラッキングコイル１４と、レンズホル
ダ１２を間に挟んで対向する永久磁石１５とを有し、フォーカスコイル１３を所定の入力
周波数で励磁することによりレンズホルダ１２をフォーカス方向ｇ，ｈに移動させると共
に、トラッキングコイル１４を所定の入力周波数で励磁することによりレンズホルダ１２
をトラッキング方向ｉ，ｊに移動させる。
【０００４】
図５〜図８に示すように、前記ベース９Ａの一端部に回転可能に枢着したガイドローラ
１７の外周面に形成した環状ガイド溝１８の外広がり傾斜状内側面１８ａがガイドレール
４に係合されると共に、該ベース９Ａの他端部に一体突設した前後一対の軸受部１９の軸
受孔１９ａがガイドシャフト５に嵌合され、ベース９Ａの他端部に連結したラック２０に
ピニオン２１が噛合されており、送りモータ２２によりギヤ機構２３を介してピニオン２
１を正逆回転させることにより、ラック２０を介して光ピックアップ９をガイドレール４
及びガイドシャフト５に沿って前後方向ｅ，ｆに往復移動させる。
【０００５】
図５及び図９に示すように、前記デッキ２Ａの後部中央に収納凹部２Ｂと連通する凹溝
２５が形成され、該凹溝２５内にスピンドルモータ２６が固定されると共に、該スピンド
ルモータ２６の回転軸２６ａにディスクＤ載置用ターンテーブル２７が固着されている。
【０００６】
操作手順を説明すると、カム板３を右方向ｄ（または左方向ｃ）にスライドさせること
により、カム孔３ａ及びカム軸２ｂを介してドライブシャーシ２を枢支軸２ａ回りで上動
ａさせて水平状態にすることにより、ターンテーブル２７上にディスクＤを載置し（図７
参照）、該ディスクＤをスピンドルモータ２６により高速回転させ、送りモータ２２によ
り光ピックアップ９をガイドレール４及びガイドシャフト５に沿って前後方向ｅ，ｆに往
復移動させると共に、フォーカスコイル１３及びトラッキングコイル１４を所定の入力周
波数で励磁することにより、レンズホルダ１２をフォーカス方向ｇ，ｈ及びトラッキング
方向ｉ，ｊに移動させ、対物レンズＯＬを通してディスクＤにレーザ光を投射することに
より、該ディスクＤに記録されている情報を読み取る。
【特許文献１】特開平９−２９３３６９号公報
【発明の開示】
【発明が解決しようとする課題】
【０００７】
上記従来の構成では、コストダウンを図るために、ドライブシャーシ２に形成した収納
凹部２Ｂの一側縁をガイドレール４として兼用しており、ガイドシャフト５を２本用いる
場合に比べて、部品手数が少なくなって、経済的であるという利点を有するが、ガイドレ
ール４とそれに係合するガイドローラ１７の環状ガイド溝１８との間にわずかな隙間が生
じやすく、その隙間の発生によって、フォーカスコイル１３を励磁してレンズホルダ１２
をフォーカス方向ｇ，ｈに移動させたときに、その移動によって光ピックアップ９がガイ
ドシャフト５を中心に上下方向ｋ，ｍ方向に振動され（図６参照）、その振動がガイドレ
ール４（及びガイドシャフト５）からデッキ２Ａ及びスピンドルモータ２６を介してター
ンテーブル２７に伝達され、該ターンテーブル２７上のディスクＤが上下に微小振動され
る。
【０００８】
図７に示すように、本発明者が加速度ピックアップ２９によりディスクＤの中心部の微
小振動（振動加速度）をチェックしたところ、図１０に仮想線Ｇで示すようになり、特に
、フォーカスコイル１３の通常作動範囲α（１３００〜２１００Ｈｚ）において、フォー
カスサ−ボ特性の乱れが大きいことが分かった。
【０００９】
上記構成では、フォーカスサ−ボ特性の乱れが大きいため、ディスクＤに対する対物レ
ンズＯＬの焦点合わせに時間がかかって、読み取り速度が遅くなる。
【００１０】
本発明は、上記従来の欠点に鑑み、フォーカスサ−ボ特性の乱れを減少させることがで
きるようにしたディスクプレーヤを提供することを目的としている。
【課題を解決するための手段】
【００１１】
上記目的を達成するため、請求項１に記載の発明は、筐体に合成樹脂製ドライブシャー
シが上下動可能に配置され、該ドライブシャーシの前方側にデッキが一体形成されると共
に、そのドライブシャーシのデッキより後方側に収納凹部が形成され、該収納凹部の一側
縁が該ドライブシャーシの後端部からデッキにかけて前後方向に延びるガイドレールとさ
れ、前記収納凹部の他側縁側にガイドレールと平行して配置したガイドシャフトの両端が
ドライブシャーシの後端部とデッキとに固定され、合成樹脂製ベースと該ベース上に立設
した支軸に嵌合してフォーカス方向及びトラッキング方向に移動可能な対物レンズ付きレ
ンズホルダとを有する光ピックアップが前記収納凹部内に配置され、前記ベースの一端部
に回転可能に枢着したガイドローラの外周面に形成した環状ガイド溝の外広がり傾斜状内
側面がガイドレールに係合されると共に、該ベースの他端部に一体突設した軸受部の軸受
孔がガイドシャフトに嵌合され、前記デッキに収納凹部と連通する凹溝が形成され、該凹
溝内にスピンドルモータが固定されると共に、該スピンドルモータの回転軸にディスク載
置用ターンテーブルが固着されており、ドライブシャーシを上動させることによりターン
テーブル上にディスクを載置し、該ディスクをスピンドルモータにより高速回転させ、光
ピックアップをガイドレール及びガイドシャフトに沿って往復移動させると共に、レンズ
ホルダをフォーカス方向及びトラッキング方向に移動させ、対物レンズを通してディスク
にレーザ光を投射することにより、該ディスクに記録されている情報を読み取るようにし
たディスクプレーヤにおいて、前記デッキのスピンドルモータ固定用凹溝とガイドレール
及びガイドシャフトとの間にそれぞれ振動減衰孔が貫設され、そのガイドレール側振動減
衰孔がガイドレールと同幅で該ガイドレールの前端から前方に向かって形成され、そのガ
イドシャフト側振動減衰孔が前記ガイドレール側振動減衰孔とほぼ同幅でガイドシャフト
の前端近傍から前方に向かって形成され、該ガイドシャフト側振動減衰孔のほぼ中央部を
横断する補強桁がデッキに一体形成されていることを特徴とするディスクプレーヤ。
【００１２】
請求項２に記載の発明は、筐体に合成樹脂製ドライブシャーシが上下動可能に配置され
、該ドライブシャーシの前方側にデッキが一体形成されると共に、そのドライブシャーシ
のデッキより後方側に収納凹部が形成され、該収納凹部の一側縁が該ドライブシャーシの
後端部からデッキにかけて前後方向に延びるガイドレールとされ、前記収納凹部の他側縁
側にガイドレールと平行して配置したガイドシャフトの両端がドライブシャーシの後端部
とデッキとに固定され、フォーカス方向及びトラッキング方向に移動可能な対物レンズ付
きレンズホルダとを有する光ピックアップがガイドレール及びガイドシャフトに移動可能
に係合され、前記デッキに形成した凹溝にスピンドルモータが固定されると共に、該スピ
ンドルモータの回転軸にディスク載置用ターンテーブルが固着されており、ドライブシャ
ーシを上動させることによりターンテーブル上にディスクを載置し、該ディスクをスピン
ドルモータにより高速回転させ、光ピックアップをガイドレール及びガイドシャフトに沿
って往復移動させると共に、レンズホルダをフォーカス方向及びトラッキング方向に移動
させ、対物レンズを通してディスクにレーザ光を投射することにより、該ディスクに記録
されている情報を読み取るようにしたディスクプレーヤにおいて、前記デッキのスピンド
ルモータ固定用凹溝とガイドレールとの間に振動減衰孔が貫設されていることを特徴とし
ている。
【００１３】
請求項３に記載の発明は、請求項２に記載の発明において、前記ガイドレール側振動減
衰孔がガイドレールと同幅で該ガイドレールの前端から前方に向かって形成されているこ
とを特徴としている。
【００１４】
請求項４に記載の発明は、請求項２または３に記載の発明において、前記デッキのスピ
ンドルモータ固定用凹溝とガイドシャフトの間にも振動減衰孔が貫設されていることを特
徴としている。
【００１５】
請求項５に記載の発明は、請求項４に記載の発明において、前記ガイドシャフト側振動
減衰孔が前記ガイドレール側振動減衰孔とほぼ同幅でガイドシャフトの前端近傍から前方
に向かって形成されていることを特徴としている。
【００１６】
請求項６に記載の発明は、請求項５に記載の発明において、前記ガイドシャフト側振動
減衰孔のほぼ中央部を横断する補強桁がデッキに一体形成されていることを特徴としてい
る。
【発明の効果】
【００１７】
請求項１に記載の発明は実施の一形態（図１〜図４参照）に対応するものであって、こ
れによれば、フォーカスコイルを励磁してレンズホルダをフォーカス方向に移動させるこ
とにより、光ピックアップがガイドシャフトを中心に上下方向方向に振動され、その振動
がガイドレール及びガイドシャフトからデッキに伝達されても、該デッキのスピンドルモ
ータ固定用凹溝とガイドレール及びガイドシャフトとの間に振動減衰孔が貫設されている
ので、そのデッキに固定したスピンドルモータ及びターンテーブルを介してディスクに伝
達される振動がほぼ遮断されて大幅に減衰され、フォーカスコイルの通常作動範囲におい
て、フォーカスサ−ボ特性の乱れを減少させ、これによって、ディスクに対する対物レン
ズの焦点合わせを迅速に行って、読み取り速度を従来よりも大幅に短縮させることができ
る。
【００１８】
ここで特に、ガイドレール側振動減衰孔がガイドレールと同幅で該ガイドレールの前端
から前方に向かって形成されているので、ガイドレールとデッキとの接続部分を小さくし
て、そのガイドレールからデッキに伝達される振動を大幅に減衰させることができる。
【００１９】
また、ガイドシャフト側振動減衰孔がガイドレール側振動減衰孔とほぼ同幅でガイドシ
ャフトの前端近傍から前方に向かって形成されているので、ガイドシャフトとデッキとの
接続部分を小さくして、そのガイドシャフトからデッキに伝達される振動も大幅に減衰さ
せることができる。
【００２０】
更に、ガイドシャフト側振動減衰孔のほぼ中央部を横断する補強桁がデッキに一体形成
されているので、スピンドルモータの重みによりデッキが撓むのを阻止して、該スピンド
ルモータをデッキに確実に固定することができる。
【００２１】
請求項２に記載の発明によれば、フォーカスコイルを励磁してレンズホルダをフォーカ
ス方向に移動させることにより、光ピックアップがガイドシャフトを中心に上下方向方向
に振動され、その振動がガイドレールからデッキに伝達されても、該デッキのスピンドル
モータ固定用凹溝とガイドレールとの間に振動減衰孔が貫設されているので、そのデッキ
に固定したスピンドルモータ及びターンテーブルを介してディスクに伝達される振動がほ
ぼ遮断されて大幅に減衰され、フォーカスコイルの通常作動範囲において、フォーカスサ
−ボ特性の乱れを減少させ、これによって、ディスクに対する対物レンズの焦点合わせを
迅速に行って、読み取り速度を従来よりも大幅に短縮させることができる。
【００２２】
請求項３に記載の発明によれば、ガイドレール側振動減衰孔がガイドレールと同幅で該
ガイドレールの前端から前方に向かって形成されているので、ガイドレールとデッキとの
接続部分を小さくして、そのガイドレールからデッキに伝達される振動を大幅に減衰させ
ることができる。
【００２３】
請求項４に記載の発明によれば、デッキのスピンドルモータ固定用凹溝とガイドシャフ
トとの間に振動減衰孔が貫設されているので、そのガイドシャフト側からデッキに固定し
たスピンドルモータ及びターンテーブルを介してディスクに伝達される振動もほぼ遮断さ
れて大幅に減衰され、フォーカスコイルの通常作動範囲において、フォーカスサ−ボ特性
の乱れを一層減少させることができる。
【００２４】
請求項５に記載の発明によれば、ガイドシャフト側振動減衰孔がガイドレール側振動減
衰孔とほぼ同幅でガイドシャフトの前端近傍から前方に向かって形成されているので、ガ
イドシャフトとデッキとの接続部分を小さくして、そのガイドシャフトからデッキに伝達
される振動を大幅に減衰させることができる。
【００２５】
請求項６に記載の発明によれば、ガイドシャフト側振動減衰孔のほぼ中央部を横断する
補強桁がデッキに一体形成されているので、スピンドルモータの重みによりデッキが撓む
のを阻止して、該スピンドルモータをデッキに確実に固定することができる。
【発明を実施するための最良の形態】
【００２６】
図１〜図４は本発明の実施の一形態であるディスクプレーヤを示すものであって、デッ
キ２Ａのスピンドルモータ固定用凹溝２５とガイドレール４及びガイドシャフト５との間
にそれぞれ振動減衰孔３１，３２が貫設され、そのガイドレール側振動減衰孔３１がガイ
ドレール４と同幅ｔで該ガイドレール４の前端４ａから前方ｅに向かって形成され、その
ガイドシャフト側振動減衰孔３２が前記ガイドレール側振動減衰孔３１とほぼ同幅ｔでガ
イドシャフト５の前端５ａ近傍から前方ｅに向かって形成され、該ガイドシャフト側振動
減衰孔３２のほぼ中央部を横断する補強桁３３がデッキ２Ａに一体形成されている。上記
以外の構成は図５〜図９に示す構成とほぼ同じであるから、同一部分に同一符号を付して
その説明を省略する。
【００２７】
上記構成によれば、フォーカスコイル１３を励磁してレンズホルダ１２をフォーカス方
向ｇ，ｈに移動させることにより、光ピックアップ９がガイドシャフト５を中心に上下方
向ｋ，ｍ（図６参照）に振動され、その振動がガイドレール４及びガイドシャフト５から
デッキ２Ａに伝達されても、該デッキ２Ａのガイドレール４及びガイドシャフト５からス
ピンドルモータまでの経路に貫設した振動減衰孔３１，３２を設けることにより振動がほ
ぼ遮断されるので、そのデッキ２Ａに固定したスピンドルモータ２６及びターンテーブル
２７を介してディスクＤに伝達される振動が大幅に減衰される。
【００２８】
図２に示すように、本発明者が加速度ピックアップ２９によりディスクＤの中心部の微
小振動（振動加速度）をチェックしたところ、図１０に実線Ｈで示すようになり、フォー
カスコイル１３の通常作動範囲α（１３００〜２１００Ｈｚ）において、フォーカスサ−
ボ特性の乱れを減少させていることが分かった。これによって、ディスクＤに対する対物
レンズＯＬの焦点合わせを迅速に行って、読み取り速度を従来よりも大幅に短縮させるこ
とができる。
【００２９】
ここで特に、ガイドレール側振動減衰孔３１がガイドレール４と同幅ｔで該ガイドレー
ル４の前端４ａから前方に向かって形成されているので、ガイドレール４とデッキ２Ａと
の接続部分を小さくして、そのガイドレール４からデッキ２Ａに伝達される振動を大幅に
減衰させることができる。
【００３０】
また、ガイドシャフト側振動減衰孔３２がガイドレール側振動減衰孔３１とほぼ同幅ｔ
でガイドシャフト５の前端５ａ近傍から前方に向かって形成されているので、ガイドシャ
フト５とデッキ２Ａとの接続部分を小さくして、そのガイドシャフト５からデッキ２Ａに
伝達される振動も大幅に減衰させることができる。
【００３１】
更に、ガイドシャフト側振動減衰孔３２のほぼ中央部を横断する補強桁３３がデッキ２
Ａに一体形成されているので、スピンドルモータ２６の重みによりデッキ２Ａが撓むのを
阻止して、該スピンドルモータ２６をデッキ２Ａに確実に固定することができる。
【図面の簡単な説明】
【００３２】
【図１】本発明の実施の一形態であるディスクプレーヤの概略平面図である。
【図２】図１のＡ−Ａ矢視図である。
【図３】図１のＢ−Ｂ矢視図である。
【図４】同要部の斜視図である。
【図５】従来例を示す概略平面図である。
【図６】図５のＣ−Ｃ矢視図である。
【図７】図５のＥ−Ｅ矢視図である。
【図８】図５のＦ−Ｆ矢視図である。
【図９】同要部の斜視図である。
【図１０】ディスクの中心部の振動加速度を示す説明図である。
【符号の説明】
【００３３】
１        筐体
２        ドライブシャーシ
２Ａ      デッキ
２Ｂ      収納凹部
４        ガイドレール
５        ガイドシャフト
９        光ピックアップ
９Ａ      光ピックアップのベース
１１      支軸
１２      レンズホルダ
１７      ガイドローラ
１８      環状ガイド溝
１８ａ    環状ガイド溝の傾斜状内側面
１９      軸受部
１９ａ    軸受部の軸受孔
２５      スピンドルモータ固定用凹溝
２６      スピンドルモータ
２７      ターンテーブル
３１      ガイドレール側振動減衰孔
３２      ガイドシャフト側振動減衰孔
３３      補強桁
ＯＬ      対物レンズ
Ｄ        ディスク
ａ，ｂ    上下方向
ｅ，ｆ    前後方向
ｇ，ｈ    フォーカス方向
ｉ，ｊ    トラッキング方向
【図１】
2005196857.tif 000003
【図２】
2005196857.tif 000004
【図３】
2005196857.tif 000005
【図４】
2005196857.tif 000006
【図５】
2005196857.tif 000007
【図６】
2005196857.tif 000008
【図７】
2005196857.tif 000009
【図８】
2005196857.tif 000010
【図９】
2005196857.tif 000011
【図１０】
2005196857.tif 000012